(57)【要約】【課題】データペイロード分散の測定結果が最大基準値を超えることによって発生するエラーを防止するための、データペイロード分散の測定方法及び装置を提供する。【解決手段】方法は、複数のデータペイロード分散基準値を予め設定し、データペイロード分散の測定結果を受信し、データペイロード分散の測定結果が複数のデータペイロード分散基準値より大きければ、データペイロード分散の測定結果を複数のデータペイロード分散基準値の最大値に引き下げるステップからなる。【選択図】図３
2008042920.tif 000002
【特許請求の範囲】
【請求項１】
無線通信システムにおいてデータペイロード分散を測定する方法であって、
複数のデータペイロード分散基準値を予め設定し、
データペイロード分散の測定結果を受信し、
上記データペイロード分散の測定結果が複数のデータペイロード分散基準値より大きければ、データペイロード分散の測定結果を複数のデータペイロード分散基準値のうち最大基準値に引き下げるステップからなることを特徴とするデータペイロード分散の測定方法。
【請求項２】
前記方法は更に、データペイロード分散の測定結果がデータペイロード分散の最大基準値より小さい場合、データペイロード分散の測定結果を複数のデータペイロード分散基準値のうち最も近い基準値に引き上げるステップを含むことを特徴とする請求項１記載のデータペイロード分散の測定方法。
【請求項３】
前記データペイロード分散の測定結果は、ＲＬＣ（無線リンク制御）エンティティーのバッファで保存されたデータに対応することを特徴とする請求項１記載のデータペイロード分散の測定方法。
【請求項４】
前記データペイロード分散の最大基準値は１６Ｋバイトとされ、Ｋは１０２４とされることを特徴とする請求項１記載のデータペイロード分散の測定方法。
【請求項５】
前記複数のデータペイロード分散基準値の最小基準値は０とされ、最小基準値以外のデータペイロード分散基準値は等比数列をなすことを特徴とする請求項１記載のデータペイロード分散の測定方法。
【請求項６】
前記無線通信システムは第三世代無線通信システムであることを特徴とする請求項１記載のデータペイロード分散の測定方法。
【請求項７】
無線通信システムにおいてデータペイロード分散を適切に測定し、トラヒック量測定上のエラーを防止する通信装置であって、
通信装置の機能を実現させる制御回路と、
制御回路の中に設けられ、プログラムコードを実行して制御回路を制御する中央処理装置（ＣＰＵ）と、
制御回路の中でＣＰＵと結合されるように設けられ、プログラムコードを保存するための保存装置とを含み、そのうちプログラムコードは、
複数のデータペイロード分散基準値を予め設定し、
データペイロード分散の測定結果を受信し、
上記データペイロード分散の測定結果が複数のデータペイロード分散基準値より大きければ、データペイロード分散の測定結果を複数のデータペイロード分散基準値のうち最大基準値に引き下げるステップを含むことを内容とすることを特徴とする通信装置。
【請求項８】
前記プログラムコードは更に、データペイロード分散の測定結果がデータペイロード分散の最大基準値より小さい場合、データペイロード分散の測定結果を複数のデータペイロード分散基準値のうち最も近い基準値に引き上げるステップを含むことを特徴とする請求項７記載の通信装置。
【請求項９】
前記データペイロード分散の測定結果は、ＲＬＣエンティティーのバッファで保存されたデータに対応することを特徴とする請求項７記載の通信装置。
【請求項１０】
前記データペイロード分散の最大基準値は１６Ｋバイトとされ、Ｋは１０２４とされることを特徴とする請求項７記載の通信装置。
【請求項１１】
前記複数のデータペイロード分散基準値の最小基準値は０とされ、最小基準値以外のデータペイロード分散基準値は等比数列をなすことを特徴とする請求項７記載の通信装置。
【請求項１２】
前記無線通信システムは第三世代無線通信システムであることを特徴とする請求項７記載の通信装置。
【請求項１３】
無線通信システムにおいてデータペイロード分散を測定する方法であって、
複数のデータペイロード分散基準値を予め設定し、
データペイロード分散の測定結果を受信し、
上記データペイロード分散の測定結果が複数のデータペイロード分散基準値より大きければ、データペイロード分散の測定結果より大きいかそれに等しい少なくとも１つのデータペイロード分散予備基準値を複数のデータペイロード分散基準値に追加するステップからなることを特徴とするデータペイロード分散の測定方法。
【請求項１４】
前記方法は更に、少なくとも１つのデータペイロード分散予備基準値を複数のデータペイロード分散基準値に追加した後、データペイロード分散の測定結果を複数のデータペイロード分散基準値のうち最も近い基準値に引き上げるステップを含むことを特徴とする請求項１３記載のデータペイロード分散の測定方法。
【請求項１５】
前記データペイロード分散の測定結果は、ＲＬＣエンティティーのバッファで保存されたデータに対応することを特徴とする請求項１３記載のデータペイロード分散の測定方法。
【請求項１６】
前記少なくとも１つのデータペイロード分散予備基準値が追加される前、複数のデータペイロード分散基準値のうち最大基準値は１６Ｋバイトとされ、Ｋは１０２４とされることを特徴とする請求項１３記載のデータペイロード分散の測定方法。
【請求項１７】
前記複数のデータペイロード分散基準値の最小基準値は０とされ、最小基準値以外のデータペイロード分散基準値は等比数列をなすことを特徴とする請求項１３記載のデータペイロード分散の測定方法。
【請求項１８】
前記少なくとも１つのデータペイロード分散予備基準値は、データペイロード分散の測定結果を含むことを特徴とする請求項１３記載のデータペイロード分散の測定方法。
【請求項１９】
前記無線通信システムは第三世代無線通信システムであることを特徴とする請求項１３記載のデータペイロード分散の測定方法。
【請求項２０】
無線通信システムにおいてデータペイロード分散を適切に測定し、トラヒック量測定上のエラーを防止する通信装置であって、
通信装置の機能を実現させる制御回路と、
制御回路の中に設けられ、プログラムコードを実行して制御回路を制御するＣＰＵと、
制御回路の中でＣＰＵと結合されるように設けられ、プログラムコードを保存するための保存装置とを含み、そのうちプログラムコードは、
複数のデータペイロード分散基準値を予め設定し、
データペイロード分散の測定結果を受信し、
上記データペイロード分散の測定結果が複数のデータペイロード分散基準値より大きければ、データペイロード分散の測定結果より大きいかそれに等しい少なくとも１つのデータペイロード分散予備基準値を複数のデータペイロード分散基準値に追加するステップを含むことを内容とすることを特徴とする通信装置。
【請求項２１】
前記プログラムコードは更に、少なくとも１つのデータペイロード分散予備基準値を複数のデータペイロード分散基準値に追加した後、データペイロード分散の測定結果を複数のデータペイロード分散基準値のうち最も近い基準値に引き上げるステップを含むことを特徴とする請求項２０記載の通信装置。
【請求項２２】
前記データペイロード分散の測定結果は、ＲＬＣエンティティーのバッファで保存されたデータに対応することを特徴とする請求項２０記載の通信装置。
【請求項２３】
前記少なくとも１つのデータペイロード分散予備基準値が追加される前、複数のデータペイロード分散基準値のうち最大基準値は１６Ｋバイトとされ、Ｋは１０２４とされることを特徴とする請求項２０記載の通信装置。
【請求項２４】
前記複数のデータペイロード分散基準値の最小基準値は０とされ、最小基準値以外のデータペイロード分散基準値は等比数列をなすことを特徴とする請求項２０記載の通信装置。
【請求項２５】
前記少なくとも１つのデータペイロード分散予備基準値は、データペイロード分散の測定結果を含むことを特徴とする請求項２０記載の通信装置。
【請求項２６】
前記無線通信システムは第三世代無線通信システムであることを特徴とする請求項２０記載の通信装置。
【請求項２７】
無線通信システムにおいてデータペイロード分散を測定する方法であって、
複数のデータペイロード分散基準値を予め設定し、
上記複数のデータペイロード分散基準値のうち最大基準値を引き上げるステップからなることを特徴とするデータペイロード分散の測定方法。
【請求項２８】
前記方法は更に、
ＲＬＣ層のバッファで保存されたデータについて、データペイロード分散の測定結果を受信し、
複数のデータペイロード分散基準値のうち最大基準値を引き上げた後、データペイロード分散の測定結果を複数のデータペイロード分散基準値のうち最も近い基準値に引き上げるステップを含むことを特徴とする請求項２７記載のデータペイロード分散の測定方法。
【請求項２９】
前記複数のデータペイロード分散基準値のうち、引き上げられる前の最大基準値は１６Ｋバイトとされ、Ｋは１０２４とされることを特徴とする請求項２７記載のデータペイロード分散の測定方法。
【請求項３０】
前記複数のデータペイロード分散基準値の最小基準値は０とされ、最小基準値以外のデータペイロード分散基準値は等比数列をなすことを特徴とする請求項２７記載のデータペイロード分散の測定方法。
【請求項３１】
前記無線通信システムは第三世代無線通信システムであることを特徴とする請求項２７記載のデータペイロード分散の測定方法。
【請求項３２】
無線通信システムにおいてデータペイロード分散を適切に測定し、トラヒック量測定上のエラーを防止する通信装置であって、
通信装置の機能を実現させる制御回路と、
制御回路の中に設けられ、プログラムコードを実行して制御回路を制御するＣＰＵと、
制御回路の中でＣＰＵと結合されるように設けられ、プログラムコードを保存するための保存装置とを含み、そのうちプログラムコードは、
複数のデータペイロード分散基準値を予め設定し、
上記複数のデータペイロード分散基準値のうち最大基準値を引き上げるステップを含むことを内容とすることを特徴とする通信装置。
【請求項３３】
前記プログラムコードは更に、
ＲＬＣ層のバッファで保存されたデータについて、データペイロード分散の測定結果を受信し、
複数のデータペイロード分散基準値のうち最大基準値を引き上げた後、データペイロード分散の測定結果を複数のデータペイロード分散基準値のうち最も近い基準値に引き上げるステップを含むことを特徴とする請求項３２記載の通信装置。
【請求項３４】
前記複数のデータペイロード分散基準値のうち、引き上げられる前の最大基準値は１６Ｋバイトとされ、Ｋは１０２４とされることを特徴とする請求項３２記載の通信装置。
【請求項３５】
前記複数のデータペイロード分散基準値の最小基準値は０とされ、最小基準値以外のデータペイロード分散基準値は等比数列をなすことを特徴とする請求項３２記載の通信装置。
【請求項３６】
前記無線通信システムは第三世代無線通信システムであることを特徴とする請求項３２記載の通信装置。
【請求項３７】
無線通信システムにおいてデータペイロード分散を測定する方法であって、
複数のデータペイロード分散基準値を予め設定し、
上記複数のデータペイロード分散基準値に同じ倍数を乗じ、複数のデータペイロード分散基準値の間隔を拡大するステップからなることを特徴とするデータペイロード分散の測定方法。
【請求項３８】
前記方法は更に、
ＲＬＣ層のバッファで保存されたデータについて、データペイロード分散の測定結果を受信し、
複数のデータペイロード分散基準値に同じ倍数を乗じた後、データペイロード分散の測定結果を複数のデータペイロード分散基準値のうち最も近い基準値に引き上げるステップを含むことを特徴とする請求項３７記載のデータペイロード分散の測定方法。
【請求項３９】
前記倍数が乗じられる前、複数のデータペイロード分散基準値のうち最大基準値は１６Ｋバイトとされ、Ｋは１０２４とされることを特徴とする請求項３７記載のデータペイロード分散の測定方法。
【請求項４０】
前記複数のデータペイロード分散基準値の最小基準値は０とされ、最小基準値以外のデータペイロード分散基準値は等比数列をなすことを特徴とする請求項３７記載のデータペイロード分散の測定方法。
【請求項４１】
前記無線通信システムは第三世代無線通信システムであることを特徴とする請求項３７記載のデータペイロード分散の測定方法。
【請求項４２】
無線通信システムにおいてデータペイロード分散を適切に測定し、トラヒック量測定上のエラーを防止する通信装置であって、
通信装置の機能を実現させる制御回路と、
制御回路の中に設けられ、プログラムコードを実行して制御回路を制御するＣＰＵと、
制御回路の中でＣＰＵと結合されるように設けられ、プログラムコードを保存するための保存装置とを含み、そのうちプログラムコードは、
複数のデータペイロード分散基準値を予め設定し、
上記複数のデータペイロード分散基準値に同じ倍数を乗じ、複数のデータペイロード分散基準値の間隔を拡大するステップを含むことを内容とすることを特徴とする通信装置。
【請求項４３】
前記プログラムコードは更に、
ＲＬＣ層のバッファで保存されたデータについて、データペイロード分散の測定結果を受信し、
複数のデータペイロード分散基準値に同じ倍数を乗じた後、データペイロード分散の測定結果を複数のデータペイロード分散基準値のうち最も近い基準値に引き上げるステップを含むことを特徴とする請求項４２記載の通信装置。
【請求項４４】
前記倍数が乗じられる前、複数のデータペイロード分散基準値のうち最大基準値は１６Ｋバイトとされ、Ｋは１０２４とされることを特徴とする請求項４２記載の通信装置。
【請求項４５】
前記複数のデータペイロード分散基準値の最小基準値は０とされ、最小基準値以外のデータペイロード分散基準値は等比数列をなすことを特徴とする請求項４２記載の通信装置。
【請求項４６】
前記無線通信システムは第三世代無線通信システムであることを特徴とする請求項４２記載の通信装置。
【発明の詳細な説明】
【技術分野】
【０００１】
本発明はトラヒック量の測定方法及び装置に関し、特にトラヒック量測定上のエラーを防止し、無線資源の割り当てを改善するための無線通信システムにおけるデータペイロード分散の測定方法及び装置に関する。
【背景技術】
【０００２】
第三世代移動通信技術は、ＷＣＤＭＡ（広帯域符号分割多元接続）方式で高いスペクトル利用効率、カバー率、通話品質及び高速伝送を実現させ、ＱｏＳ（サービス品質）の確保、柔軟性のある双方向通信の実現、通話中断率の低減を可能にする。第三世代移動通信システムのユーザーは、ＵＥ（ユーザー装置、例えば携帯電話）で映像通話、電話会議、ゲーム、オンライン音楽再生、及び電子メールを楽しむことができる。もっとも、限られた資源でこれらの機能を実現させるためには、効率よく資源を割り当てることが重要である。それに鑑みて、従来の第三世代移動通信技術はＴＶＭ（トラヒック量測定）プロセスを規定し、伝送状態や資源の使用状態を即時に把握し、動的な無線資源制御を可能にする。
【０００３】
３ＧＰＰによるＭＡＣ（媒体アクセス制御）プロトコル仕様３ＧＰＰ  ＴＳ  ２５．３２１  Ｖ７．１．０によれば、ＡＭ／ＵＭ（アクノレッジ／アンアクノレッジ）モードでは、ＴＶＭプロセスはＲＲＣ（無線資源制御）層において能動的に起動される。ＲＲＣ層は少なくとも１ＴＴＩ（伝送時間間隔）の間に、ＭＡＣ層に対してトラヒック量の測定と測定結果の報告、及びＲＬＣエンティティー（論理チャネル）のバッファ使用状態の保存を求め、これに基づいて各論理チャネルの新データと再送データ量を把握する。上記ＭＡＣプロトコル仕様の１１．１によれば、ＭＡＣ層に対する測定報告の要求は、パラメータＣＭＡＣ−Ｍｅａｓｕｒｅ−ＲＥＱに基づいて行われる。パラメータＣＭＡＣ−Ｍｅａｓｕｒｅ−ＲＥＱには、トラヒック量情報の種類（例えばバッファ占有率（ＢＯ）、平均バッファ占有率、バッファ占有率の分散）を示す報告指示と、ＭＡＣ層において平均値や分散を計算する際の基準とされる時間間隔を示す計算時間間隔が含まれる。そのほか、ＭＡＣ層はＲＲＣエンティティーからパラメータＭＡＣ−Ｄａｔａ−ＲＥＱを受信する。パラメータＭＡＣ−Ｄａｔａ−ＲＥＱには、各論理チャネルのバッファ占有率を示し、バイトを単位とするパラメータＢＯが含まれる。
【０００４】
また、３ＧＰＰによるＲＲＣプロトコル仕様３ＧＰＰ  ＴＳ  ２５．３３１  Ｖ７．１．０によれば、トラヒック量測定結果リスト（ｔｒａｆｆｉｃ  ｖｏｌｕｍｅ  ｍｅａｓｕｒｅｄ  ｒｅｓｕｌｔ  ｌｉｓｔ）という情報要素が規定されている。この情報要素はＲＬＣバッファペイロード、平均ＲＬＣバッファペイロード、ＲＬＣバッファペイロード分散（ＲＬＣバッファペイロードは上記バッファ占有率に相当する）を含み、それぞれ基準値が規定されている。例えば、ＲＬＣバッファペイロード分散の基準値は０、４、８…１０２４、２Ｋ、４Ｋ、８Ｋ、１６Ｋバイトとされる（Ｋ＝１０２４）。ＭＡＣ層からバッファペイロード分散を受信した後、ＲＲＣ層はこれを最も近い基準値に引き上げ、引き上げた値に基づいて資源を割り当てる。例えば、バッファペイロード分散の測定結果が１５．８Ｋであれば、ＲＲＣ層はこれを１６Ｋに引き上げ、１６Ｋという値に基づいて資源を割り当てる。しかし、例えば、特定時間内に測定されたバッファペイロードのサンプルが０．２５Ｋ、０．５Ｋ、２Ｋ、４Ｋ、７Ｋ、９Ｋ、１０Ｋであるとすれば、バッファペイロード分散は１６．１８Ｋとなって、最大基準値の１６Ｋを超えてしまう。そうなると、バッファペイロード分散の判断は不能になり、トラヒック量の測定にエラーが生じる。
【発明の開示】
【発明が解決しようとする課題】
【０００５】
本発明は以上の問題を解決するため、無線通信システムにおいてデータペイロード分散を測定する方法及び装置を提供することを課題とする。
【課題を解決するための手段】
【０００６】
本発明は、無線通信システムにおいてデータペイロード分散を測定する方法を提供する。該方法は、複数のデータペイロード分散基準値を予め設定し、データペイロード分散の測定結果を受信し、上記データペイロード分散の測定結果が複数のデータペイロード分散基準値より大きければ、データペイロード分散の測定結果を複数のデータペイロード分散基準値のうち最大基準値に引き下げるステップからなる。
【０００７】
本発明は更に、無線通信システムにおいてデータペイロード分散を適切に測定し、トラヒック量測定上のエラーを防止する通信装置を提供する。該通信装置は、通信装置の機能を実現させる制御回路と、制御回路の中に設けられ、プログラムコードを実行して制御回路を制御する中央処理装置（ＣＰＵ）と、制御回路の中でＣＰＵと結合されるように設けられ、プログラムコードを保存するための保存装置とを含む。該プログラムコードは、複数のデータペイロード分散基準値を予め設定し、データペイロード分散の測定結果を受信し、上記データペイロード分散の測定結果が複数のデータペイロード分散基準値より大きければ、データペイロード分散の測定結果を複数のデータペイロード分散基準値のうち最大基準値に引き下げるステップを含む。
【０００８】
本発明は更に、以下のような無線通信システムにおいてデータペイロード分散を測定する方法を提供する。該方法は、複数のデータペイロード分散基準値を予め設定し、データペイロード分散の測定結果を受信し、上記データペイロード分散の測定結果が複数のデータペイロード分散基準値より大きければ、データペイロード分散の測定結果より大きいかそれに等しい少なくとも１つのデータペイロード分散予備基準値を複数のデータペイロード分散基準値に追加するステップからなる。
【０００９】
本発明は更に、以下のような無線通信システムにおいてデータペイロード分散を適切に測定し、トラヒック量測定上のエラーを防止する通信装置を提供する。該通信装置は、通信装置の機能を実現させる制御回路と、制御回路の中に設けられ、プログラムコードを実行して制御回路を制御するＣＰＵと、制御回路の中でＣＰＵと結合されるように設けられ、プログラムコードを保存するための保存装置とを含む。該プログラムコードは、複数のデータペイロード分散基準値を予め設定し、データペイロード分散の測定結果を受信し、上記データペイロード分散の測定結果が複数のデータペイロード分散基準値より大きければ、データペイロード分散の測定結果より大きいかそれに等しい少なくとも１つのデータペイロード分散予備基準値を複数のデータペイロード分散基準値に追加するステップを含む。
【００１０】
本発明は更に、以下のような無線通信システムにおいてデータペイロード分散を測定する方法を提供する。該方法は、複数のデータペイロード分散基準値を予め設定し、上記複数のデータペイロード分散基準値のうち最大基準値を引き上げるステップからなる。
【００１１】
本発明は更に、以下のような無線通信システムにおいてデータペイロード分散を適切に測定し、トラヒック量測定上のエラーを防止する通信装置を提供する。該通信装置は、通信装置の機能を実現させる制御回路と、制御回路の中に設けられ、プログラムコードを実行して制御回路を制御するＣＰＵと、制御回路の中でＣＰＵと結合されるように設けられ、プログラムコードを保存するための保存装置とを含む。該プログラムコードは、複数のデータペイロード分散基準値を予め設定し、上記複数のデータペイロード分散基準値のうち最大基準値を引き上げるステップを含む。
【００１２】
本発明は更に、以下のような無線通信システムにおいてデータペイロード分散を測定する方法を提供する。該方法は、複数のデータペイロード分散基準値を予め設定し、上記複数のデータペイロード分散基準値に同じ倍数を乗じ、複数のデータペイロード分散基準値の間隔を拡大するステップからなる。
【００１３】
本発明は更に、以下のような無線通信システムにおいてデータペイロード分散を適切に測定し、トラヒック量測定上のエラーを防止する通信装置を提供する。該通信装置は、通信装置の機能を実現させる制御回路と、制御回路の中に設けられ、プログラムコードを実行して制御回路を制御するＣＰＵと、制御回路の中でＣＰＵと結合されるように設けられ、プログラムコードを保存するための保存装置とを含む。該プログラムコードは、複数のデータペイロード分散基準値を予め設定し、上記複数のデータペイロード分散基準値に同じ倍数を乗じ、複数のデータペイロード分散基準値の間隔を拡大するステップを含む。
【発明の効果】
【００１４】
従来の技術によるデータペイロード分散の最大基準値は１６Ｋバイトという小さめな値に定められているため、データペイロード分散の測定結果が最大基準値を超えることにより、トラヒック量の測定にエラーが生じる確率が相対的に高い。それに鑑みて、本発明は最大基準値を超えた測定結果を最大基準値に一致するように引き下げたり、本来の最大基準値より大きい予備基準値を追加したり、最大基準値を引き上げたり、基準値に特定倍数を乗じたりすることによって、測定結果が最大基準値を超えることを防止するかその発生確率を低め、トラヒック量測定の正確性を保持し、無線資源の割り当てを効率的にする。
【発明を実施するための最良の形態】
【００１５】
かかる方法及び装置の特徴を詳述するために、具体的な実施例を挙げ、図示を参照して以下に説明する。
【００１６】
図１を参照する。図１は無線通信システムの無線通信装置１００のブロック図である。説明を簡素化するため、図１は無線通信装置１００の入力装置１０２、出力装置１０４、制御回路１０６、ＣＰＵ（中央処理装置）１０８、保存装置１１０、プログラムコード１１２及びトランシーバー１１４のみ描くとする。無線通信装置１００において、制御回路１０６はＣＰＵ１０８で保存装置１１０に保存されるプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルの構造から見れば、トランシーバー１１４は第一層の一部とみなされ、制御回路１０６は第二層と第三層の機能を実現させる。無線通信装置１００は望ましくは、第三世代移動通信システムに用いられる。
【００１７】
図２を参照する。図２は図１に示すプログラムコード１１２を表す説明図である。アプリケーション層２００と、第三層２０２と、第二層２０６からなるプログラムコード１１２は、第一層２１８と接続されている。第二層２０６は副層としてＲＬＣ（無線リンク制御）エンティティー２２４とＭＡＣ（媒体アクセス制御）エンティティー２２６を含む。ＲＬＣエンティティー２２４とＭＡＣエンティティー間のメッセージ・パケット伝送は論理チャネルを介して行われる。第三層２０２はＲＲＣ（無線資源制御）エンティティー２２２を含み、ＲＲＣエンティティー２２２はＭＡＣエンティティー２２６に対してトラヒック量の測定及び測定結果の返送を求める。トラヒック量を測定するとき、ＭＡＣエンティティー２２６はＲＬＣエンティティー２２４からパケットを受信し、これに基づいて各論理チャネルのバッファ占有率（ＢＯ）を判断して関連の計算を行う。上記測定結果はバッファ占有率（ＢＯ）、平均ＢＯ、及びＢＯ分散を含み、このような測定結果をＭＡＣエンティティー２２６から受信した後、ＲＲＣエンティティー２２２は測定結果に基づいて、第一層２１８と第二層２０６に対して無線資源を割り当てる。一方、ＭＡＣエンティティー２２６はＲＲＣエンティティーの指令に基づいてチャネルマッピング、マルチプレクシング、伝送形式選択、ランダムアクセス制御などを実行する。
【実施例１】
【００１８】
本発明はデータペイロード分散測定プログラムコード２２０を提供し、トラヒック量測定上のエラーを防止し、トラフィック量測定後の無線資源配分を改善する。図３を参照する。図３は本発明の実施例１による方法３０を表す説明図である。下記方法３０はデータペイロード分散測定プログラムコード２２０としてコンパイルすることができる。
ステップ３００：開始。
【００１９】
ステップ３０２：複数のデータペイロード分散基準値を予め設定する。
【００２０】
ステップ３０４：データペイロード分散の測定結果を受信する。
【００２１】
ステップ３０６：データペイロード分散の測定結果が複数の基準値より大きければ、データペイロード分散の測定結果を複数の基準値のうち最大値に引き下げる。
【００２２】
ステップ３０８：終了。
【００２３】
以上のとおり、データペイロード分散を測定する前に、まずＲＲＣ層において複数のデータペイロード分散基準値を予め設定する。基準値の最大値は１６Ｋバイトとされ（Ｋ＝１０２４）、例えば、基準値を０、４、８…１０２４、２Ｋ、４Ｋ、８Ｋ、１６Ｋバイトとすることができる。データペイロード分散の測定結果が最大基準値１６Ｋより小さければ、従来のとおりに測定結果を最も近い基準値に引き上げる。例えば、ＭＡＣ層から受信したデータペイロード分散の測定結果が７Ｋであるとすれば、ＲＲＣ層はこれを８Ｋに引き上げて無線資源を割り当てる。それに対して、測定結果が最大基準値１６Ｋより大きければ、例えば測定されたサンプルが０．２５Ｋ、０．５Ｋ、２Ｋ、４Ｋ、７Ｋ、９Ｋ、１０Ｋであって、データペイロード分散が１６．８Ｋであるとすれば、測定結果を最大基準値１６Ｋに引き下げる。そうすれば、データペイロード分散の測定結果が最大基準値を超えることによって発生するエラーは解消できる。
【実施例２】
【００２４】
図４は本発明の実施例２による方法４０を表す説明図である。下記方法４０はデータペイロード分散測定プログラムコード２２０としてコンパイルすることができる。
ステップ４００：開始。
【００２５】
ステップ４０２：複数のデータペイロード分散基準値を予め設定する。
【００２６】
ステップ４０４：データペイロード分散の測定結果を受信する。
【００２７】
ステップ４０６：データペイロード分散の測定結果が複数の基準値より大きければ、データペイロード分散の測定結果より大きいかそれに等しい少なくとも１つの予備基準値を複数のデータペイロード分散基準値に追加する。
【００２８】
ステップ４０８：終了。
以上のとおり、データペイロード分散を測定する前に、まずＲＲＣ層において複数のデータペイロード分散基準値を予め設定する。基準値の最大値は１６Ｋバイトとされ（Ｋ＝１０２４）、例えば、基準値を０、４、８…１０２４、２Ｋ、４Ｋ、８Ｋ、１６Ｋバイトとすることができる。データペイロード分散の測定結果が最大基準値１６Ｋより小さければ、従来のとおりに測定結果を最も近い基準値に引き上げる。例えば、ＭＡＣ層から受信したデータペイロード分散の測定結果が７Ｋであるとすれば、ＲＲＣ層はこれを８Ｋに引き上げて無線資源を割り当てる。それに対して、測定結果が最大基準値１６Ｋより大きければ、例えば測定されたサンプルが０．２５Ｋ、０．５Ｋ、２Ｋ、４Ｋ、７Ｋ、９Ｋ、１０Ｋであって、データペイロード分散が１６．８Ｋであるとすれば、複数の基準値に予備基準値を追加する。予備基準値はデータペイロード分散の測定結果より大きく設定され（例えば１８Ｋ、２０Ｋ）、または測定結果１６．８Ｋをそのまま予備基準値として追加することも可能である。そうすれば、データペイロード分散の測定結果が最大基準値を超えることによって発生するエラーは解消できる。
【実施例３】
【００２９】
図５は本発明の実施例３による方法５０を表す説明図である。下記方法５０はデータペイロード分散測定プログラムコード２２０としてコンパイルすることができる。
ステップ５００：開始。
【００３０】
ステップ５０２：複数のデータペイロード分散基準値を予め設定する。
【００３１】
ステップ５０４：データペイロード分散の最大基準値を引き上げる。
【００３２】
ステップ５０６：終了。
以上のとおり、データペイロード分散を測定する前に、まずＲＲＣ層において複数のデータペイロード分散基準値を予め設定する。基準値の最大値は１６Ｋバイトとされ（Ｋ＝１０２４）、例えば、基準値を０、４、８…１０２４、２Ｋ、４Ｋ、８Ｋ、１６Ｋバイトとすることができる。その後、基準値の数量を維持しながら、最大基準値のみ引き上げる（例えば最大基準値を１６Ｋから１８Ｋに引き上げる）。ＭＡＣ層からデータペイロード分散の測定結果を受信した後、ＲＲＣ層は従来のとおりに測定結果を最も近い基準値に引き上げればよい。例えば、ＭＡＣ層から受信したデータペイロード分散の測定結果が７Ｋである場合は８Ｋにし、１６．８Ｋである場合は１８Ｋにすることができる。この方法は、データペイロード分散の測定結果が最大基準値を超える確率を低め、エラーを防止する効果がある。
【実施例４】
【００３３】
図６は本発明の実施例４による方法６０を表す説明図である。下記方法６０はデータペイロード分散測定プログラムコード２２０としてコンパイルすることができる。
ステップ６００：開始。
【００３４】
ステップ６０２：複数のデータペイロード分散基準値を予め設定する。
【００３５】
ステップ６０４：複数の基準値に同じ倍数を乗じて基準値の間隔を拡大する。
【００３６】
ステップ６０６：終了。
以上のとおり、データペイロード分散を測定する前に、まずＲＲＣ層において複数のデータペイロード分散基準値を予め設定する。基準値の最大値は１６Ｋバイトとされ（Ｋ＝１０２４）、例えば、基準値を０、４、８…１０２４、２Ｋ、４Ｋ、８Ｋ、１６Ｋバイトとすることができる。その後、基準値に同じ倍数（例えば２）を乗じて、例えば０、８、１６、…２Ｋ、４Ｋ、８Ｋ、１６Ｋ、３２Ｋバイトにする。ＭＡＣ層からデータペイロード分散の測定結果を受信した後、ＲＲＣ層は従来のとおりに測定結果を最も近い基準値に引き上げればよい。例えば、データペイロード分散測定結果が７Ｋである場合は８Ｋにし、１６．８Ｋである場合は３２Ｋにすることができる。データペイロード分散基準値の間隔を拡大することは、データペイロード分散の測定結果が最大基準値を超える確率を低め、エラーを防止する効果がある。
【００３７】
まとめていえば、従来の技術によるデータペイロード分散の最大基準値は１６Ｋバイトという小さめな値に定められているため、データペイロード分散の測定結果が最大基準値を超えることにより、トラヒック量の測定にエラーが生じる確率が相対的に高い。その解決策として、上記方法３０と方法４０は分散の測定結果が最大基準値を超えることを防止し、方法５０と方法６０はその発生確率を低めることができる。したがって、本発明はトラヒック量を正確に測定し、無線資源の割り当てを効率的にする効果がある。
【００３８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００３９】
本発明は従来の動作条件を変えたのみであり、当然実施可能である。
【図面の簡単な説明】
【００４０】
【図１】無線通信システムの無線通信装置のブロック図である。
【図２】図１に示すプログラムコードを表す説明図である。
【図３】本発明の実施例１による方法のフローチャートである。
【図４】本発明の実施例２による方法のフローチャートである。
【図５】本発明の実施例３による方法のフローチャートである。
【図６】本発明の実施例４による方法のフローチャートである。
【符号の説明】
【００４１】
１００        無線通信装置
１０２        入力装置
１０４        出力装置
１０６        制御回路
１０８        ＣＰＵ
１１０        保存装置
１１２        プログラムコード
１１４        トランシーバー
２００        アプリケーション層
２０２        第三層
２０６        第二層
２１８        第一層
２２０        データペイロード分散測定プログラムコード
２２２        ＲＲＣエンティティー
２２４        ＲＬＣエンティティー
２２６        ＭＡＣエンティティー
【図１】
2008042920.tif 000003
【図２】
2008042920.tif 000004
【図３】
2008042920.tif 000005
【図４】
2008042920.tif 000006
【図５】
2008042920.tif 000007
【図６】
2008042920.tif 000008